(57)【要約】【課題】ネットワークに接続されたレコーダ等において、記録や再生を行うことができるかどうかを、ユーザが、容易に認識する。【解決手段】受信機１１は、１つ以上の記録媒体に対する記録又は再生が可能な複数の記録再生装置のすべてであるレコーダ１２及び１３に、ネットワーク１を介して、状態を問い合わせて、その状態を表す状態情報を収集する。さらに、受信機１１は、状態情報に基づいて、ネットワーク１を介して接続されているレコーダ１２及び１３の中から、記録又は再生に利用可能な記録再生装置である利用可能機器を判定し、利用可能機器が存在するか否かを表示する。本発明は、ネットワークに接続されるSTB等に適用できる。【選択図】図１
2010177728.tif 000002
【特許請求の範囲】
【請求項１】
１つ以上の記録媒体に対する記録又は再生が可能な複数の記録再生装置のすべてに、ネットワークを介して、状態を問い合わせて、その状態を表す状態情報を収集する収集手段と、
前記状態情報に基づいて、前記ネットワークを介して接続されている前記複数の記録再生装置の中から、記録又は再生に利用可能な記録再生装置である利用可能機器を判定する判定手段と、
前記利用可能機器が存在するか否かを表示する表示制御を行う表示制御手段と
を備えるデータ処理装置。
【請求項２】
コンテンツを取得する取得手段と、
前記利用可能機器の記録媒体を、前記コンテンツの記録が可能な記録可能先として、ユーザの操作に応じて、前記記録可能先の中から、前記コンテンツを記録する記録先を決定する決定手段と、
前記記録先に、前記ネットワークを介して、前記コンテンツを送信し、前記記録先に、前記コンテンツを記録させる記録制御を行う記録制御手段と
をさらに備え、
前記表示制御手段は、前記ネットワークを介しての前記コンテンツの送信に、エラーが生じているか否かを表示する表示制御も、さらに行う
請求項１に記載のデータ処理装置。
【請求項３】
前記コンテンツの記録を行うときと、複数の前記記録可能先の中から、前記記録先を選択するときとに操作される１つの操作手段をさらに備える
請求項２に記載のデータ処理装置。
【請求項４】
前記表示制御手段は、前記利用可能機器が存在するか否かと、前記コンテンツの送信に、エラーが生じているか否かとに応じて、光を発する発光手段を、消灯、点灯、又は、点滅させる
請求項２に記載のデータ処理装置。
【請求項５】
前記利用可能機器の記録媒体を、前記コンテンツの再生が可能な再生可能元として、ユーザの操作に応じて、前記再生可能元の中から、コンテンツを再生する再生元を決定する決定手段と、
前記再生元に、前記コンテンツを再生させ、前記ネットワークを介して、前記コンテンツを送信させる再生制御を行う再生制御手段と
をさらに備え、
前記表示制御手段は、前記ネットワークを介しての前記コンテンツの送信に、エラーが生じているか否かを表示する表示制御も、さらに行う
請求項１に記載のデータ処理装置。
【請求項６】
前記コンテンツの再生を行うときと、複数の前記再生可能元の中から、前記再生元を選択するときとに操作される１つの操作手段をさらに備える
請求項５に記載のデータ処理装置。
【請求項７】
前記表示制御手段は、前記利用可能機器が存在するか否かと、前記コンテンツの送信に、エラーが生じているか否かとに応じて、光を発する発光手段を、消灯、点灯、又は、点滅させる
請求項５に記載のデータ処理装置。
【請求項８】
データ処理装置が、
１つ以上の記録媒体に対する記録又は再生が可能な複数の記録再生装置のすべてに、ネットワークを介して、状態を問い合わせて、その状態を表す状態情報を収集し、
前記状態情報に基づいて、前記ネットワークを介して接続されている前記複数の記録再生装置の中から、記録又は再生に利用可能な記録再生装置である利用可能機器を判定し、
前記利用可能機器が存在するか否かを表示する表示制御を行う
ステップを含むデータ処理方法。
【請求項９】
１つ以上の記録媒体に対する記録又は再生が可能な複数の記録再生装置のすべてに、ネットワークを介して、状態を問い合わせて、その状態を表す状態情報を収集する収集手段と、
前記状態情報に基づいて、前記ネットワークを介して接続されている前記複数の記録再生装置の中から、記録又は再生に利用可能な記録再生装置である利用可能機器を判定する判定手段と、
前記利用可能機器が存在するか否かを表示する表示制御を行う表示制御手段と
して、コンピュータを機能させるためのプログラム。
【請求項１０】
１つ以上の記録媒体に対する記録又は再生が可能な複数の記録再生装置のすべてに、ネットワークを介して、状態を問い合わせて、その状態を表す状態情報を収集する収集手段と、
前記状態情報に基づいて、前記ネットワークを介して接続されている前記複数の記録再生装置の中から、記録又は再生に利用可能な記録再生装置である利用可能機器を判定する判定手段と、
前記利用可能機器が存在するか否かを表示する表示制御を行う表示制御手段と
を有するデータ処理装置と、
前記ネットワークを介して、前記データ処理装置と接続される前記複数の記録再生装置と
を備えるデータ処理システム。
【発明の詳細な説明】
【技術分野】
【０００１】
本発明は、データ処理装置、データ処理方法、プログラム、及び、データ処理システムに関し、特に、例えば、ネットワークに接続されたレコーダ等において、記録や再生を行うことができるかどうかを、ユーザが、容易に認識することができるようにするデータ処理装置、データ処理方法、プログラム、及び、データ処理システムに関する。
【背景技術】
【０００２】
例えば、テレビジョン放送の番組等のコンテンツの記録及び再生を行うレコーダは、一般に、ネットワークに接続可能になっている。また、例えば、家庭内LAN(Local Area Network)の普及に伴い、レコーダを、リビングルーム等の１つの部屋だけに設置するのではなく、家族の各部屋等の複数の部屋に設置し、LANで接続することが行われつつある。
【０００３】
ここで、複数の情報処理装置が、ネットワークを介して接続されてネットワークシステムを構成し、仮想的な１台の情報処理装置として、一定の処理を分散的に実行するなど、連携して動作する場合がある。この場合、ユーザが、ネットワークシステムの外観などから、複数の情報処理装置が、ネットワークシステムを構成していることや、連携動作中であることなどを、容易に知ることが困難であった。
【０００４】
そこで、ネットワークシステムの状況を検出し、その検出結果をもとに呈示用情報を生成し、その呈示用情報によって、ネットワークシステムの状況を呈示する技術が提案されている（例えば、特許文献１を参照）。かかる技術によれば、複数の情報処理装置が、ネットワークシステムを構成していることや、連携動作中であることなどを、ネットワークシステムの外観などから、ユーザが容易かつ確実に知ることができる。
【先行技術文献】
【特許文献】
【０００５】
【特許文献１】特開2005-276165号公報
【発明の概要】
【発明が解決しようとする課題】
【０００６】
ところで、例えば、上述したように、家庭内の各部屋に、LANで接続されたレコーダが設置されている場合において、例えば、リビングルームにいるユーザが、同じくリビングルームに設置されたチューナで受信されたコンテンツとしての番組を、他の部屋に設置されたレコーダに、LAN経由で録画しようとしたときに、他の部屋に設置されたレコーダが使用中で（録画や再生に使用されており）、録画に利用することができないことがある。
【０００７】
同様に、例えば、リビングルームにいるユーザが、同じくリビングルームに設置されたTV（テレビジョン受像機）で、他の部屋に設置されたレコーダからコンテンツを再生して視聴しようとしたときも、他の部屋に設置されたレコーダが、再生に利用することができないことがある。
【０００８】
ユーザが、各部屋に行き、レコーダの状態を確認すれば、録画や再生に利用することができるレコーダを認識することができるが、レコーダの状態を確認するために、ユーザが各部屋に行くのは、面倒である。
【０００９】
本発明は、このような状況に鑑みてなされたものであり、ネットワークに接続されたレコーダ等において、記録や再生を行うことができるかどうかを、ユーザが、容易に認識することができるようにするものである。
【課題を解決するための手段】
【００１０】
本発明の第１の側面のデータ処理装置、又は、プログラムは、１つ以上の記録媒体に対する記録又は再生が可能な複数の記録再生装置のすべてに、ネットワークを介して、状態を問い合わせて、その状態を表す状態情報を収集する収集手段と、前記状態情報に基づいて、前記ネットワークを介して接続されている前記複数の記録再生装置の中から、記録又は再生に利用可能な記録再生装置である利用可能機器を判定する判定手段と、前記利用可能機器が存在するか否かを表示する表示制御を行う表示制御手段とを備えるデータ処理装置、又は、データ処理装置として、コンピュータを機能させるためのプログラムである。
【００１１】
本発明の第１の側面のデータ処理方法は、データ処理装置が、１つ以上の記録媒体に対する記録又は再生が可能な複数の記録再生装置のすべてに、ネットワークを介して、状態を問い合わせて、その状態を表す状態情報を収集し、前記状態情報に基づいて、前記ネットワークを介して接続されている前記複数の記録再生装置の中から、記録又は再生に利用可能な記録再生装置である利用可能機器を判定し、前記利用可能機器が存在するか否かを表示する表示制御を行うステップを含むデータ処理方法である。
【００１２】
本発明の第２の側面のデータ処理システムは、１つ以上の記録媒体に対する記録又は再生が可能な複数の記録再生装置のすべてに、ネットワークを介して、状態を問い合わせて、その状態を表す状態情報を収集する収集手段と、前記状態情報に基づいて、前記ネットワークを介して接続されている前記複数の記録再生装置の中から、記録又は再生に利用可能な記録再生装置である利用可能機器を判定する判定手段と、前記利用可能機器が存在するか否かを表示する表示制御を行う表示制御手段とを有するデータ処理装置と、前記ネットワークを介して、前記データ処理装置と接続される前記複数の記録再生装置とを備えるデータ処理システムである。
【００１３】
本発明の第１及び第２の側面においては、１つ以上の記録媒体に対する記録又は再生が可能な複数の記録再生装置のすべてに、ネットワークを介して、状態の問い合わせが行われ、その状態を表す状態情報が収集される。そして、前記状態情報に基づいて、前記ネットワークを介して接続されている前記複数の記録再生装置の中から、記録又は再生に利用可能な記録再生装置である利用可能機器が判定され、前記利用可能機器が存在するか否かが表示される。
【００１４】
なお、データ処理装置は、独立した装置であっても良いし、１つの装置を構成している内部ブロックであっても良い。
【００１５】
また、プログラムは、伝送媒体を介して伝送することにより、又は、記録媒体に記録して、提供することができる。
【発明の効果】
【００１６】
本発明の第１及び第２の側面によれば、ネットワークに接続されたレコーダ等の記録再生装置において、記録や再生を行うことができるかどうかを、ユーザが、容易に認識することができる。
【図面の簡単な説明】
【００１７】
【図１】本発明を適用したネットワークシステムの一実施の形態の構成例を示す図である。
【図２】受信機１１及びレコーダ１２のハードウェア構成例を示す図である。
【図３】受信機１１の機能的構成例を示すブロック図である。
【図４】記録モードの処理を説明するフローチャートである。
【図５】記録モード時の表示例を示す図である。
【図６】再生モードの処理を説明するフローチャートである。
【図７】再生モード時の表示例を示す図である。
【図８】レコーダ１２の機能的構成例を示すブロック図である。
【図９】レコーダ１２の処理を説明するフローチャートである。
【図１０】受信機１１と、レコーダ１２及び１３それぞれとのやりとりを説明する図である。
【発明を実施するための形態】
【００１８】
［本発明を適用したネットワークシステムの全体構成例］
【００１９】
図１は、本発明を適用したネットワークシステム（システムとは、複数の装置が論理的に集合した物をいい、各構成の装置が同一筐体中にあるか否かは、問わない）の一実施の形態の構成例を示す図である。
【００２０】
図１においては、受信機１１、レコーダ１２及び１３が、LAN等のネットワーク１を介して接続されることにより、全体として、コンテンツ等の記録(録画）や再生を行うデータ処理システムとしてのネットワークシステムが構成されている。
【００２１】
ネットワーク１は、例えば、家庭内に設置されたLAN等であり、有線、又は無線のネットワークのいずれであってもよいし、有線と無線とが混在しているネットワークであってもよい。
【００２２】
受信機１１は、例えば、テレビジョン放送の番組等のコンテンツを受信するチューナや、CATV(Cable Television)やIPTV(Internet Protocol TV)の番組等のコンテンツを受信するSTB(Set Top Box)等として機能するデータ処理装置である。
【００２３】
受信機１１は、テレビジョン放送の番組等のコンテンツを受信し、ネットワーク１を介して、レコーダ１２や１３に送信して録画（記録）させる。
【００２４】
また、受信機１１には、TV２１が接続されており、受信機１１は、コンテンツを、TV２１に供給して、コンテンツとしての画像を表示させ、また、コンテンツとしての音声を出力させる。
【００２５】
すなわち、受信機１１は、テレビジョン放送によって放送されている番組等のコンテンツを受信し、TV２１に供給する。また、受信機１１は、レコーダ１２や１３からネットワーク１を介して送信されてくるコンテンツを受信し、TV２１に供給する。
【００２６】
レコーダ１２は、１つ以上の記録媒体に対する録画（記録）及び再生が可能な記録再生装置であり、受信機１１からネットワーク１を介して送信されてくるコンテンツの録画（記録）を行う。また、レコーダ１２は、録画を行ったコンテンツを読み出し（再生し）、ネットワーク１を介して、受信機１１に送信する。
【００２７】
レコーダ１３は、レコーダ１２と同様に構成される。
【００２８】
なお、レコーダ１２には、TV２２が接続されており、レコーダ１２で再生されたコンテンツは、TV２２で視聴することができる。同様に、レコーダ１３には、TV２３が接続されており、レコーダ１３で再生されたコンテンツは、TV２３で視聴することができる。
【００２９】
また、受信機１１とTV２１とのセット、レコーダ１２とTV２２とのセット、及び、レコーダ１３とTV２３とのセットのそれぞれは、例えば、家庭内の別個の部屋に設置されている。
【００３０】
ここで、図１では、１つ以上の記録媒体に対する録画及び再生が可能な記録再生装置として、２つのレコーダ１２及び１３が、ネットワーク１に接続されているが、ネットワーク１に接続する記録再生装置の数は、３つ以上であっても良い。
【００３１】
また、ネットワーク１に接続する記録再生装置は、再生だけが可能な装置であってもよい。
【００３２】
さらに、図１のネットワークシステムでは、受信機１１自体に録画機能を内蔵させ、受信機１１において、一度録画したコンテンツを、ネットワーク１を介して送信することができる。
【００３３】
［受信機１１とレコーダ１２のハードウェア構成例］
【００３４】
図２は、図１の受信機１１とレコーダ１２のハードウェア構成例を示している。
【００３５】
なお、レコーダ１３は、レコーダ１２と同様に構成されるので、その説明は、省略する。
【００３６】
受信機１１は、取得部３１、CPU(Central Processing Unit)３２、記憶部３３、デコーダ３４、入出力部３５、及び、ネットワークI/F(Interface)３６等から構成され、取得部３１ないしネットワークI/F３６は、相互に接続されている。
【００３７】
取得部３１は、テレビジョン放送によって放送されてくるコンテンツや、CATVやIPTVによって送信されてくるコンテンツを受信することにより取得し、デコーダ３４やネットワークI/F３６に供給する。
【００３８】
CPU３２は、記憶部３３に記憶されたプログラムを実行することにより、受信機１１全体の制御や、後述する記録モードの処理、及び、再生モードの処理等を行う。
【００３９】
記憶部３３は、例えば、半導体メモリや、ハードディスク等の記録媒体であり、CPU３２が実行するプログラムを記憶している。さらに、記憶部３３は、受信機１１の動作上必要なデータを記憶する。
【００４０】
なお、CPU３２が実行するプログラムは、受信機１１が内蔵する記憶部３３にあらかじめ記憶しておく他、外部から受信機１１にインストールすることができる。
【００４１】
すなわち、プログラムは、DVD(Digital Versatile Disc)等の光ディスク又は光磁気ディスクや、メモリカード等のリムーバブルなメディアであるリムーバブルメディアに記憶（記録）し、いわゆるパッケージソフトウエアとして提供することができる。そして、プログラムは、リムーバブルメディアから受信機１１にインストールすることができる。
【００４２】
また、CPU３２が実行するプログラムは、インターネット上のサーバや、放送局から、通信網や放送網を介して、受信機１１にダウンロードし、内蔵する記憶部３３にインストールすることができる。
【００４３】
なお、レコーダ１２の、後述するCPU４２が実行するプログラムについても、同様である。
【００４４】
デコーダ３４は、取得部３１やネットワークI/F３６から供給されるコンテンツをデコードし、TV２１に供給する。
【００４５】
すなわち、取得部３１やネットワークI/F３６から、デコーダ３４に供給されるコンテンツが、例えば、MPEG(Moving Picture Expert Group)方式等の所定の方式でエンコードされている場合には、デコーダ３４は、コンテンツのデコードを行う。
【００４６】
入出力部３５は、ユーザによって操作され、その操作に対応する操作信号を、CPU３２等に供給する。また、入出力部３５は、CPU３２の制御に従い、所定の表示や、音声の出力を行う。
【００４７】
ネットワークI/F３６は、ネットワーク１を介しての通信を制御し、取得部３１から供給されるコンテンツその他のデータを、ネットワーク１を介して送信する。また、ネットワークI/F３６は、ネットワーク１を介して送信されてくるコンテンツその他のデータを受信し、CPU３２やデコーダ３４に供給する。
【００４８】
レコーダ１２は、ネットワークI/F４１、CPU４２、記憶部４３、デコーダ４４、入出力部４５、HD(Hard Disk)４６、及び、リムーバブルメディア４７等から構成される。図２では、ネットワークI/F４１ないしリムーバブルメディア４７は、相互に接続されている。
【００４９】
ネットワークI/F４１は、ネットワーク１を介しての通信を制御し、HD４６やリムーバブルメディ４７から再生されたコンテンツその他のデータを、ネットワーク１を介して送信する。また、ネットワークI/F４１は、ネットワーク１を介して送信されてくるコンテンツその他のデータを受信し、CPU４２や、デコーダ４４、HD４６、リムーバブルメディ４７に供給する。
【００５０】
CPU４２は、記憶部４３に記憶されたプログラムを実行することにより、レコーダ１２全体の制御その他の必要な処理を行う。
【００５１】
記憶部４３は、例えば、半導体メモリや、ハードディスク等の記録媒体であり、CPU４２が実行するプログラムを記憶している。さらに、記憶部４３は、レコーダ１２の動作上必要なデータを記憶する。
【００５２】
デコーダ４４は、ネットワークI/F４１から供給されるコンテンツや、HD４６やリムーバブルメディ４７で再生されたコンテンツをデコードし、TV２２に供給する。
【００５３】
入出力部４５は、ユーザによって操作され、その操作に対応する操作信号を、CPU４２等に供給する。また、入出力部４５は、CPU４２の制御に従い、所定の表示や、音声の出力を行う。
【００５４】
HD４６、及びリムーバブルメディア４７は、レコーダ１２が録画及び再生をすることが可能な記録媒体である。すなわち、図２では、レコーダ１２は、HD４６、及びリムーバブルメディア４７の２つの記録媒体に対するコンテンツの録画及び再生を行うことができる。
HD４６や、リムーバブルメディア４７には、ネットワークI/F４１から供給されるコンテンツが録画（記録）される。また、HD４６や、リムーバブルメディア４７からは、そこに録画されたコンテンツが再生され、ネットワークI/F４１やデコーダ４４に供給される。
【００５５】
ここで、リムーバブルメディア４７は、レコーダ１２に対して着脱可能になっている。
【００５６】
また、図２では、レコーダ１２は、HD４６と、リムーバブルメディア４７との、２つの記録媒体に対する録画及び再生が可能な記録再生装置であるが、レコーダ１２としては、その他、１つの記録媒体、又は３以上の記録媒体に対する録画及び再生が可能な記録再生装置を採用することができる。
【００５７】
［受信機１１の機能的構成例］
【００５８】
図３は、図２の受信機１１の機能的構成例を示すブロック図である。
【００５９】
なお、図中、図２の場合と対応する部分については、同一の符号を付してあり、以下では、その説明は、適宜省略する。
【００６０】
受信機１１は、CPU３２（図２）がプログラムを実行することにより、図３の構成の装置として機能する。
【００６１】
情報収集部５１は、ネットワーク１に接続された複数の記録再生装置のすべてに、ネットワーク１を介して、状態を問い合わせて、その状態を表す状態情報を収集する。
【００６２】
すなわち、図１の実施の形態では、情報収集部５１は、レコーダ１２及び１３に、ネットワークI/F３６、及びネットワーク１を介して、状態を問い合わせる。レコーダ１２及び１３は、状態の問い合わせに対して、状態を表す状態情報を、ネットワーク１を介して送信してくるので、情報収集部５１は、その状態情報を、ネットワークI/F３６を介して受信することにより収集する。
【００６３】
情報収集部５１は、レコーダ１２及び１３の状態情報を収集すると、その状態情報を、利用可能機器判定部５２に供給する。
【００６４】
利用可能機器判定部５２は、情報収集部５１からの状態情報に基づいて、ネットワーク１を介して接続されている複数の記録再生装置の中から、録画（記録）又は再生に、現に利用可能な記録再生装置である利用可能機器を判定する。
【００６５】
すなわち、例えば、レコーダ１２が、録画又は再生に、現に利用可能である場合には、レコーダ１２の状態情報には、レコーダ１２において、録画又は再生に、現に利用可能な記録媒体を表す情報が含まれる。
【００６６】
したがって、状態情報によれば、利用可能機器と、その利用可能機器において、録画又は再生に、現に利用可能な記録媒体とを認識することができる。
【００６７】
ここで、レコーダ１２では、図２に示したように、HD４６とリムーバブルメディア４７とのそれぞれに対して、コンテンツの録画及び再生を行うことができる。
【００６８】
レコーダ１２において、HD４６に対する録画又は再生が、１つのコンテンツのみを対象として行うことができ、かつ、リムーバブルメディア４７に対する録画又は再生も、１つのコンテンツのみを対象として行うことができる場合、HD４６とリムーバブルメディア４７のいずれに対する録画又は再生も行われていないときには、レコーダ１２は、利用可能機器となり、録画又は再生に、現に利用可能な記録媒体は、HD４６とリムーバブルメディア４７の両方となる。
【００６９】
さらに、レコーダ１２において、HD４６のみに対する録画又は再生が行われているときには、レコーダ１２は、利用可能機器となり、録画又は再生に、現に利用可能な記録媒体は、リムーバブルメディア４７のみとなる。また、レコーダ１２において、リムーバブルメディア４７のみに対する録画又は再生が行われているときには、レコーダ１２は、利用可能機器となり、録画又は再生に、現に利用可能な記録媒体は、HD４６のみとなる。
【００７０】
一方、レコーダ１２において、HD４６及びリムーバブルメディア４７の両方に対する録画又は再生が行われているときには、レコーダ１２において、録画又は再生に、現に利用可能な記録媒体は、存在せず、レコーダ１２は、利用可能機器ではなくなる。
【００７１】
なお、リムーバブルメディア４７のみに対する録画又は再生が行われていない場合であっても、リムーバブルメディア４７が、レコーダ１２に装着されていないときには、リムーバブルメディア４７は、録画又は再生に、現に利用可能な記録媒体とはならない。
【００７２】
また、レコーダ１２において、HD４６に対する録画又は再生が、複数であるN個のコンテンツを対象として行うことができる場合には、レコーダ１２で、0ないしN-1個のコンテンツの録画又は再生が、HD４６に対して行われているときには、HD４６は、録画又は再生に、現に利用可能な記録媒体となる。そして、N個のコンテンツの録画又は再生が、HD４６に対して行われているときに、HD４６は、録画又は再生に、現に利用可能な記録媒体ではなくなる。リムーバブルメディア４７についても、同様である。
【００７３】
利用可能機器判定部５２は、情報収集部５１からの状態情報に基づいて、利用可能機器を判定すると、利用可能機器の一覧である機器リストを生成し、決定部５３に供給する。
【００７４】
ここで、機器リストには、利用可能機器の情報の他、その利用可能機器において、録画又は再生に、現に利用可能な記録媒体の情報も含まれる。
【００７５】
決定部５３は、利用可能機器判定部５２からの機器リストに基づき、利用可能機器が存在するか否かを判定し、その判定結果を表す判定情報を、表示制御部５４に供給する。
【００７６】
また、決定部５３は、利用可能機器が存在する場合、利用可能機器判定部５２からの機器リストに情報が登録された利用可能機器と、録画又は再生に、現に利用可能な記録媒体との中から、実際に利用する利用可能機器（以下、利用機器ともいう）と、記録媒体（以下、利用媒体ともいう）とを決定する。そして、決定部５３は、利用機器と利用媒体を表す情報を、表示制御部５４、記録制御部５９、及び、再生制御部６０に供給する。
【００７７】
ここで、決定部５３は、デフォルトで、例えば、利用可能機器判定部５２からの機器リストの最初に情報が登録されている記録媒体を、利用媒体に決定する。そして、その利用媒体を駆動する利用可能機器が、必然的に、利用機器に決定される。
【００７８】
また、決定部５３は、後述する録画ボタン５６の操作に応じて、利用可能機器判定部５２からの機器リストに情報が登録されている記録媒体の中から、利用媒体を決定するとともに、利用機器を決定する。
【００７９】
すなわち、決定部５３は、録画ボタン５６の操作に応じて、利用媒体を、いま利用媒体になっている記録媒体から、機器リストに情報が登録されている他の記録媒体に決定し直す（変更する）。
【００８０】
決定部５３は、利用媒体と利用機器を決定し直した場合、その利用媒体と利用機器の情報（利用媒体と利用機器を表す情報）を、表示制御部５４、記録制御部５９、及び、再生制御部６０に供給する。
【００８１】
表示制御部５４は、決定部５４からの、利用可能機器が存在するか否かの判定結果を表す判定情報に基づき、利用可能機器が存在するか否かを表示する表示制御を行う。
【００８２】
すなわち、表示制御部５４は、決定部５４からの判定情報に基づき、利用可能機器が存在するか否かを表示する表示制御として、録画ボタン５６等が内蔵する、光を発する発光手段としてのLED(Light Emitting Diode)を、点灯又は消灯等させる。
【００８３】
また、表示制御部５４は、決定部５３から供給される、利用媒体と利用機器の情報を、表示パネル５５に表示させる表示制御も行う。
【００８４】
さらに、表示制御部５４は、ネットワーク１を介してのコンテンツの送信に、エラーが生じているか否かを表示する表示制御も行う。
【００８５】
すなわち、表示制御部５４は、ネットワークI/F３６を介して、ネットワーク１を監視しており、ネットワーク１を介してのコンテンツの送信に、エラーが生じている場合には、録画ボタン５６等が内蔵する発光手段としてのLEDを、点滅等させる。
【００８６】
その他、表示制御部５４は、決定部５３からの、利用媒体と利用機器の情報を、デコーダ３４を介して、TV２１に供給して表示させる。
【００８７】
表示パネル５５は、受信機１１の筐体に設けられたLCD(Liquid Crystal Display)や有機EL(Electro Luminescence)等の表示用のパネルであり、表示制御部５４による表示制御に従い、利用媒体と利用機器の情報等を表示する。
【００８８】
録画ボタン５６は、レコーダ１２の筐体に設けられており、取得部３１で取得されたコンテンツの録画を行うときに操作される。
【００８９】
また、録画ボタン５６は、利用可能機器判定部５２で生成された機器リストに、複数の記録媒体の情報が登録されている場合に、その複数の記録媒体の中から、利用媒体（録画先）を選択するときにも操作される。
【００９０】
さらに、録画ボタン５６は、発光手段として、LEDを内蔵しており、表示制御部５４の表示制御に応じて、消灯、点滅、又は点灯する。
【００９１】
ここで、録画ボタン５６が操作されると、その操作に応じた操作信号が、決定部５３に供給される。決定部５３は、録画ボタン５６からの操作信号に応じて、利用媒体（及び利用機器）を決定し、また、記録制御部５９を制御する。
【００９２】
再生ボタン５７は、レコーダ１２の筐体に設けられており、ネットワーク１に接続されたレコーダ１２や１３で再生されるコンテンツの再生を行うときに操作される。
【００９３】
また、再生ボタン５７は、利用可能機器判定部５２で生成された機器リストに、複数の記録媒体の情報が登録されている場合に、その複数の記録媒体の中から、利用媒体（再生元）を選択するときにも操作される。
【００９４】
さらに、再生ボタン５７は、発光手段として、LEDを内蔵しており、表示制御部５４の表示制御に応じて、消灯、点滅、又は点灯する。
【００９５】
ここで、再生ボタン５７が操作されると、その操作に応じた操作信号が、決定部５３に供給される。決定部５３は、再生ボタン５７からの操作信号に応じて、利用媒体（及び利用機器）を決定し、また、再生制御部６０を制御する。
【００９６】
なお、表示パネル５５、録画ボタン５６、及び再生ボタン５７は、受信機１１の筐体に設けるとともに、又は、筐体に設ける代わりに、受信機１１を遠隔操作する、図示せぬリモートコマンダに設けることができる。
【００９７】
バッファ５８には、取得部３１で取得されたコンテンツが供給される。バッファ５８は、例えば、半導体メモリや、HDであり、取得部３１からのコンテンツを一時記憶する。
【００９８】
なお、取得部３１で取得されたコンテンツは、バッファ５８の他、デコーダ３４にも供給することができる。この場合、デコーダ３４は、取得部３１からのコンテンツをデコードし、TV２１に供給して、表示等させる（コンテンツの画像を表示させ、コンテンツの音声を出力させる）。
【００９９】
記録制御部５９は、決定部５３の制御に従い、バッファ５８からコンテンツを読み出し、ネットワークI/F３６、及びネットワーク１を介して、利用媒体を駆動する利用機器に送信することで、利用媒体に、コンテンツを記録（録画）させる記録制御を行う。
【０１００】
再生制御部６０は、決定部５３の制御に従い、ネットワークI/F３６、及びネットワーク１を介して、利用媒体を駆動する利用機器に、利用媒体からコンテンツを再生させ、ネットワーク１を介して、コンテンツを送信させる再生制御を行う。
【０１０１】
ここで、再生制御によって、利用機器から、ネットワーク１を介して送信されてくるコンテンツは、ネットワークI/F３６で受信され、デコーダ３４に供給される。デコーダ３４は、ネットワークI/F３６からのコンテンツをデコードし、TV２１に供給して、表示等させる。
【０１０２】
なお、図３において、情報収集部５１、利用可能機器判定部５２、決定部５３、表示制御部５４、記録制御部５９、及び、再生制御部６０は、図２のCPU３２に相当する。また、バッファ５８は、図２の記憶部３３に相当し、表示パネル５５、録画ボタン５６、及び、再生ボタン５７は、図２の入出力部３５に相当する。
【０１０３】
以上のように構成される受信機１１では、記録モードの処理や、再生モードの処理が行われる。
【０１０４】
ここで、記録モードの処理では、受信機１１で取得されたコンテンツが、ネットワーク１上の記録再生装置としてのレコーダ１２や１３で記録（録画）される。また、再生モードの処理では、レコーダ１２や１３で再生された（HD４６やリムーバブルメディア４７から読み出された）コンテンツが、受信機１１で再生される（デコーダ３４でのデコード等の、TV２１でコンテンツを表示等するために必要な処理が行われる）。
【０１０５】
［記録モードの処理］
【０１０６】
図４を参照して、図３の受信機１１が行う記録モードの処理を説明する。
【０１０７】
例えば、入出力部３５（図２）が、受信機１１の動作モードを記録モードとするように、ユーザによって操作されると、受信機１１は、動作モードを記録モードとし、記録モードの処理を開始する。
【０１０８】
ここで、録画ボタン５６（図３）は、例えば、押圧操作のみが可能となっており、記録モードでないときに、録画ボタン５６が、一度押圧操作されると、受信機１１は、記録モードとなる。
【０１０９】
記録モードでは、ステップＳ１１において、情報収集部５１が、ネットワーク１上の記録再生装置（レコーダ）のすべての状態情報を収集する。
【０１１０】
すなわち、情報収集部５１は、ネットワーク１に接続された複数の記録再生装置のすべてとしてのレコーダ１２及び１３に、ネットワークI/F３６、及びネットワーク１を介して、状態を問い合わせる。
【０１１１】
状態の問い合わせを受信したレコーダ１２及び１３は、状態の問い合わせに対して、状態情報を、ネットワーク１を介して送信してくるので、情報収集部５１は、その状態情報を、ネットワークI/F３６を介して受信することにより収集する。
【０１１２】
情報収集部５１は、レコーダ１２及び１３の状態情報を収集すると、その状態情報を、利用可能機器判定部５２に供給し、処理は、ステップＳ１１からステップＳ１２に進む。
【０１１３】
ステップＳ１２では、利用可能機器判定部５２は、情報収集部５１からの状態情報に基づいて、ネットワーク１に接続されたレコーダ１２及び１３のそれぞれが、現に、録画に利用可能な記録再生装置（利用可能機器）であるかどうかを判定する。
【０１１４】
さらに、利用可能機器判定部５２は、利用可能機器については、情報収集部５１からの状態情報に基づいて、現に、録画に利用可能な記録媒体を認識する。
【０１１５】
ここで、記録モードにおいて、利用可能機器と、その利用可能機器において、現に、録画に利用可能な記録媒体とを、まとめて、録画可能先ともいう。
【０１１６】
利用可能機器判定部５２は、録画可能先の一覧である録画可能先リストを、機器リストとして生成し、決定部５３に供給して、処理は、ステップＳ１２からステップＳ１３に進む。
【０１１７】
ステップＳ１３では、決定部５３は、利用可能機器判定部５２からの録画可能先リストに基づき、録画可能先（利用可能機器）が存在するか否かを判定する。
【０１１８】
ステップＳ１３において、録画可能先が存在しないと判定された場合、すなわち、録画可能先リストに、録画可能先が登録されていない場合、決定部５３は、その判定結果を表す判定情報を、表示制御部５４に供給して、処理は、ステップＳ１４に進む。
【０１１９】
ステップＳ１４では、表示制御部５４は、決定部５３からの、録画可能先が存在しない旨の判定結果を表す判定情報に応じて、録画ボタン５６（のLED）を、例えば、消灯させ、処理は、ステップＳ１１に戻る。
【０１２０】
以上のように、録画可能先（利用可能機器）が存在しない場合、すなわち、ネットワーク１上のレコーダ１２及び１３のいずれも使用中で、受信機１１で取得されたコンテンツの録画を行うことができない場合には、録画ボタン５６が消灯し、録画可能先が存在しないことが表示される。したがって、録画ボタン５６の表示状態により、ユーザは、受信機１１が設置してある部屋から、レコーダ１２や１３が設置されている部屋に行かなくても、現在、録画（記録）を行うことができないことを、容易に（直感的に）認識することができる。
【０１２１】
一方、ステップＳ１３において、録画可能先が存在すると判定された場合、すなわち、録画可能先リストに、１つ以上の録画可能先が登録されている場合、決定部５３は、その判定結果を表す判定情報を、表示制御部５４に供給して、処理は、ステップＳ１５に進む。
【０１２２】
ステップＳ１５では、表示制御部５４は、決定部５３からの、録画可能先が存在する旨の判定結果を表す判定情報に応じて、録画ボタン５６（のLED）を、例えば、薄い赤色（低い輝度の赤色）で点灯させ、処理は、ステップＳ１６に進む。
【０１２３】
以上のように、録画可能先（利用可能機器）が存在する場合、すなわち、ネットワーク１上のレコーダ１２及び１３のうちのいずれかにおいて、受信機１１で取得されたコンテンツの録画を行うことができる場合には、録画ボタン５６が、薄い赤色で点灯し、録画可能先が存在することが表示される。したがって、録画ボタン５６の表示状態により、ユーザは、受信機１１が設置してある部屋から、レコーダ１２や１３が設置されている部屋に行かなくても、ネットワーク１上のレコーダ１２及び１３のうちのいずれかによって、現在、録画を行うことができることを、容易に認識することができる。
【０１２４】
ステップＳ１６では、決定部５３は、デフォルトで、利用可能機器判定部５２からの録画可能先リストの、例えば、最初に登録されている録画可能先を、録画に利用する録画先（利用機器及び利用媒体）に決定する。
【０１２５】
さらに、ステップＳ１６では、決定部５３は、録画先の情報を、表示制御部５４、及び記録制御部５９に供給し、表示制御部５４は、決定部５３からの録画先の情報に従い、録画先を、表示パネル５５と、TV２１に表示させる。
【０１２６】
すなわち、表示制御部５４は、決定部５３は、録画先の情報が供給されると、その情報に従い、表示パネル５５に、録画先を表示させる。さらに、表示制御部５４は、デコーダ３４を介して、TV２１を制御することにより、TV２１に、録画先を表示させる。
【０１２７】
ステップＳ１６の後は、処理は、ステップＳ１７に進み、決定部５３は、録画ボタン５６が押圧操作されたか否かを判定する。
【０１２８】
ステップＳ１７において、録画ボタン５６が押圧操作されていないと判定された場合、処理は、ステップＳ１１に戻る。
【０１２９】
また、ステップＳ１７において、録画ボタン５６が押圧操作されたと判定された場合、すなわち、録画可能先が存在することを表す表示として、録画ボタン５６が薄い赤色で点灯している状態で、録画ボタン５６が押圧操作された場合、決定部５３は、ユーザから、録画の指示があったと認識し、録画の指示を、表示制御部５４、及び記録制御部５９に供給する。さらに、決定部５３は、録画先の情報を、記録制御部５９に供給し、処理は、ステップＳ１７からステップＳ１８に進む。
【０１３０】
ステップＳ１８以降では、記録制御部５９が、決定部５３からの録画の指示に従い、取得部３１で取得されたコンテンツを録画（記録）する記録制御を行う。
【０１３１】
すなわち、ステップＳ１８では、記録制御部５９は、バッファ５８を制御することにより、バッファ５８に、取得部３１から供給されるコンテンツのバッファリングを開始させ、処理は、ステップＳ１９に進む。
【０１３２】
ステップＳ１９では、表示制御部５４が、決定部５３からの録画の指示に応じて、録画ボタン５６を、濃い赤色（高い輝度の赤色）で点灯させ、処理は、ステップＳ２０に進む。
【０１３３】
以上のように、録画（バッファ５８によるコンテンツのバッファリングを含む）が開始されると、録画ボタン５６が、濃い赤色で点灯する。したがって、録画ボタン５６の表示状態により、ユーザは、受信機１１が設置してある部屋から、レコーダ１２や１３が設置されている部屋に行かなくても、ネットワーク１上のレコーダ１２及び１３のうちのいずれかによって、録画が行われ（てい）ることを、容易に認識することができる。
【０１３４】
ステップＳ２０では、記録制御部５９が、バッファ５８におけるコンテンツの記憶量（以下、バッファ量という）が、所定値（所定の閾値）以上になったかどうかを判定する。
【０１３５】
ステップＳ２０において、バッファ量が所定値以上でないと判定された場合、処理は、ステップＳ２１に進み、決定部５３は、録画ボタン５６が押圧操作されたかどうかを判定する。
【０１３６】
ステップＳ２１において、録画ボタン５６が押圧操作されていないと判定された場合、処理は、ステップＳ２２をスキップして、ステップＳ２０に戻る。
【０１３７】
また、ステップＳ２１において、録画ボタン５６が押圧操作されたと判定された場合、すなわち、録画（バッファ５８へのコンテンツのバッファリング）が行われていることを表す表示として、録画ボタン５６が濃い赤色で点灯している状態で、録画ボタン５６が押圧操作された場合、決定部５３は、ユーザから、録画先の変更の指示があったと認識し、処理は、ステップＳ２２に進む。
【０１３８】
ステップＳ２２では、決定部５３は、録画先の変更の指示に応じて、利用可能機器判定部５２からの録画可能先リストに登録された録画可能先の中から、新たな録画先を決定し直す（録画先を変更する）。
【０１３９】
すなわち、決定部５３は、例えば、録画可能先リストにおいて、現在、録画先となっている録画可能先の次に登録されている録画可能先を、新たな録画先に決定する。
【０１４０】
なお、現在、録画先となっている録画可能先が、録画可能先リストの最後に登録されている場合には、ステップＳ２２では、例えば、録画可能先リストの最初に登録されている録画可能先が、新たな録画先に決定される。
【０１４１】
したがって、ユーザは、録画ボタン５６の押圧操作を行うだけで、録画先を、録画可能先リストにおける録画可能先の登録順に変更することができる。
【０１４２】
決定部５３は、新たな録画先を決定し直すと、その新たな録画先の情報を、表示制御部５４、及び記録制御部５９に供給する。表示制御部５４は、ステップＳ１６の場合と同様に、決定部５３からの録画先の情報に従い、録画先を、表示パネル５５と、TV２１に表示させて、処理は、ステップＳ２２からステップＳ２０に戻る。
【０１４３】
そして、ステップＳ２０において、バッファ量が所定値以上であると判定された場合、処理は、ステップＳ２３に進み、記録制御部５９は、決定部５３からの最新の録画先の情報に基づき、その録画先に対し、ネットワークI/F３６、及びネットワーク１を介して、コンテンツの録画を依頼する録画依頼を送信する。
【０１４４】
さらに、ステップＳ２３では、記録制御部５９は、バッファ５８にバッファリングされたコンテンツを読み出し、ネットワークI/F３６、及びネットワーク１を介して、録画先に送信するコンテンツ転送を開始し、処理は、ステップＳ２４に進む。
【０１４５】
ステップＳ２４では、記録制御部５９が、コンテンツの録画を終了するかどうかを判定する。
【０１４６】
ステップＳ２４において、コンテンツの録画を終了しないと判定された場合、処理は、ステップＳ２５に進み、表示制御部５４は、録画先へのネットワーク１を介してのコンテンツの送信（コンテンツ転送）に、エラーが生じているか否かを判定する。
【０１４７】
ステップＳ２５において、コンテンツの送信に、エラーが生じていると判定された場合、処理は、ステップＳ２６に進み、表示制御部５４は、録画ボタン５６を点滅させ、処理は、ステップＳ２４に戻る。
【０１４８】
また、ステップＳ２５において、コンテンツの送信に、エラーが生じていないと判定された場合、処理は、ステップＳ２７に進み、表示制御部５４は、録画ボタン５６を濃い赤色で点灯させ、処理は、ステップＳ２４に戻る。
【０１４９】
以上のように、コンテンツ転送の開始後、ネットワーク１上でのエラーが生じていない場合には、録画ボタン５６が点灯し、エラーが生じている場合には、録画ボタン５６が点滅する。したがって、録画ボタン５６の表示状態により、ユーザは、コンテンツの録画が正常に行われたことや、ネットワーク１上でのエラーにより、コンテンツの録画（の一部又は全部）が正常に行われなかったことを、容易に認識することができる。すなわち、例えば、ネットワーク１上でのエラーに起因して、コンテンツの録画が正常に行われなかった場合に、ネットワークの専門知識がないユーザであっても、ネットワーク１上でのエラーに起因して、コンテンツの録画が正常に行われなかったことを認識することができる。
【０１５０】
一方、ステップＳ２４において、コンテンツの録画を終了すると判定された場合、すなわち、例えば、ステップＳ１８でバッファリングを開始したコンテンツすべての、録画先への送信が終了した場合や、ユーザが、受信機１１（の入出力部３５（図２））を、録画を終了するように操作した場合、処理は、ステップＳ２８に進み、表示制御部５４は、録画ボタン５６を消灯させ、記録モードの処理は終了する。
【０１５１】
［記録モード時の録画ボタン５６の表示例］
【０１５２】
図５は、記録モード時の録画ボタン５６の表示例を示している。
【０１５３】
録画ボタン５６には、一般的な録画ボタンで採用されている丸印のマークが付されており、そのマークの部分が、LEDによって点灯等するようになっている。
【０１５４】
上述したように、録画可能先が存在しない場合、図５において、白丸印で示すように、録画ボタン５６（のマーク）は消灯する。
【０１５５】
また、録画可能先が存在する場合、図５において、斜線を付した丸印で示すように、録画ボタン５６は、薄い赤色で点灯する。
【０１５６】
さらに、録画中である場合、図５において、黒丸印で示すように、録画ボタン５６は、濃い赤色で点灯する。
【０１５７】
そして、録画中において、録画先へのネットワーク１を介してのコンテンツの送信に、エラーが生じていない場合には、録画ボタン５６は、濃い赤色で点灯したままとなる。
【０１５８】
一方、録画中において、録画先へのネットワーク１を介してのコンテンツの送信に、エラーが生じている場合には、そのエラーが生じている間だけ、録画ボタン５６は、点滅する。
【０１５９】
ここで、図５においては、TV２１と、表示パネル５５のそれぞれに、メッセージ「[REC1/HDD]に録画します。」が表示されている。このメッセージ「[REC1/HDD]に録画します。」のうちの、[REC1/HDD]は、録画先を表している。すなわち、[REC1/HDD]のうちの、"REC1"は、ネットワーク１上の、利用機器となった記録再生装置（例えば、レコーダ１２及び１３のうちの、レコーダ１２等）を表しており、"HDD"は、その利用機器が駆動する、利用媒体となった記録媒体としてのHD（ドライブ）を表している。
【０１６０】
以上のように、複数の記録再生装置であるレコーダ１２及び１３とネットワーク１を介して接続される受信機１１は、そのレコーダ１２及び１３のすべてに、ネットワーク１を介して、状態を問い合わせて、その状態を表す状態情報を収集する。さらに、受信機１１は、状態情報に基づいて、ネットワーク１を介して接続されている複数の記録再生装置であるレコーダ１２及び１３の中から、録画（記録）に利用可能な記録再生装置である録画可能先（利用可能機器）を判定する。そして、受信機１１は、録画可能先が存在するか否かを表示する表示制御を行う。
【０１６１】
すなわち、受信機１１は、録画可能先が存在しない場合には、録画ボタン５６を消灯し、録画可能先が存在する場合には、録画ボタン５６を薄い赤色で点灯する。
【０１６２】
したがって、ユーザは、ネットワーク１に接続されたレコーダ１２及び１３が、受信機１１とは別の場所に設置されている場合でも、そのレコーダ１２及び１３のいずれかにおいて、録画を行うことができるかどうかを、容易に認識することができる。
【０１６３】
さらに、録画ボタン５６が薄い赤色で点灯している場合には、録画ボタン５６を押圧操作することで、録画が行われることを、ユーザに、容易に認識させることができる。
【０１６４】
また、録画ボタン５６が薄い赤色で点灯している場合に、録画ボタン５６が押圧操作された場合には、録画ボタン５６が、濃い赤色で点灯するので、ユーザは、録画が開始されたことを、容易に認識することができる。
【０１６５】
さらに、受信機１１では、録画可能先の中から決定された録画先が、表示パネル５５と、TV２１に表示されるので、ユーザは、録画先を、容易に認識することができる。
【０１６６】
また、録画先となる録画可能先が、録画ボタン５６の押圧操作が行われるごとに、録画可能先リストにおける録画可能先の登録順に変更されるので、ユーザは、録画先を、容易に選択することができる。
【０１６７】
さらに、受信機１１では、コンテンツの録画も、録画可能先（記録可能先）の中からの録画先（記録先）の選択も、１つの録画ボタン５６の押圧操作によって行われる。したがって、ユーザは、録画ボタン５６の押圧操作という、単純なユーザインタフェースによって、コンテンツの録画と、録画先の変更（選択）との両方を行うことができる。
【０１６８】
すなわち、例えば、いま、ネットワーク１に、ハードディスクHDD、及び、ブルーレイディスクBD-Rを駆動する記録再生装置REC1と、ハードディスクHDD'を駆動し、NAS(Network Attached Storage)として機能する記録再生装置REC2とが接続されているとする。
【０１６９】
そして、利用可能機器判定部５２において、記録再生装置REC1のハードディスクHDD、記録再生装置REC1のブルーレイディスクBD-R、及び、記録再生装置REC2のハードディスクHDD'を、録画可能先として、その順で、登録可能先が登録された録画可能先リストが生成されたとする。
【０１７０】
この場合、記録再生装置REC1のハードディスクHDDが、デフォルトで、録画先に決定され、ユーザが、録画ボタン５６を押圧操作すると、コンテンツの録画として、バッファ５８へのコンテンツのバッファリングが開始される。
【０１７１】
そして、ユーザが、録画ボタン５６を、さらに押圧操作すると、録画先が、記録再生装置REC1のブルーレイディスクBD-Rに変更される。以下、録画ボタン５６が押圧操作されるごとに、録画先が、記録再生装置REC2のハードディスクHDD、記録再生装置REC1のハードディスクHDD、記録再生装置REC1のブルーレイディスクBD-R、記録再生装置REC2のハードディスクHDD、・・・のように、録画可能先リストの登録順に変更される。
【０１７２】
その後、バッファ５８のバッファ量が所定一以上となると、そのときの録画先に、バッファ５８にバッファリングされたコンテンツが、ネットワーク１を介して送信されて録画される
【０１７３】
以上のように、ユーザは、コンテンツの録画と、録画先の変更とを、録画ボタン５６の押圧操作だけで行うことができ、受信機１１の利便性を向上させることができる。
【０１７４】
また、受信機１１では、ネットワーク１を監視し、ネットワーク１を介してのコンテンツの送信に、エラーが生じている場合には、録画ボタン５６を点滅させる。したがって、ユーザは、コンテンツの録画が正常に行われたかどうかを、容易に認識することができる。
【０１７５】
すなわち、ネットワーク１の品質や混み具合によっては、受信機１１から録画先に送信すべきコンテンツの一部が欠落することがあり、そのような欠落に起因して、コンテンツの録画が正常に行われなかったことを、ユーザは、容易に認識することができる。
【０１７６】
［再生モードの処理］
【０１７７】
図６を参照して、図３の受信機１１が行う再生モードの処理を説明する。
【０１７８】
例えば、入出力部３５（図２）が、受信機１１の動作モードを再生モードとするように、ユーザによって操作されると、受信機１１は、動作モードを再生モードとし、再生モードの処理を開始する。
【０１７９】
ここで、再生ボタン５７（図３）は、例えば、録画ボタン５６と同様に、押圧操作のみが可能となっており、再生モードでないときに、再生ボタン５７が、一度押圧操作されると、受信機１１は、再生モードとなる。
【０１８０】
再生モードでは、ステップＳ４１において、情報収集部５１が、ネットワーク１上の記録再生装置（レコーダ）のすべての状態情報を収集する。
【０１８１】
すなわち、情報収集部５１は、ネットワーク１に接続された複数の記録再生装置のすべてとしてのレコーダ１２及び１３に、ネットワークI/F３６、及びネットワーク１を介して、状態を問い合わせる。
【０１８２】
状態の問い合わせを受信したレコーダ１２及び１３は、状態の問い合わせに対して、状態情報を、ネットワーク１を介して送信してくるので、情報収集部５１は、その状態情報を、ネットワークI/F３６を介して受信することにより収集する。
【０１８３】
情報収集部５１は、レコーダ１２及び１３の状態情報を収集すると、その状態情報を、利用可能機器判定部５２に供給し、処理は、ステップＳ４１からステップＳ４２に進む。
【０１８４】
ステップＳ４２では、利用可能機器判定部５２は、情報収集部５１からの状態情報に基づいて、ネットワーク１に接続されたレコーダ１２及び１３のそれぞれが、現に、再生に利用可能な記録再生装置（利用可能機器）であるかどうかを判定する。
【０１８５】
さらに、利用可能機器判定部５２は、利用可能機器については、情報収集部５１からの状態情報に基づいて、現に、再生に利用可能な記録媒体を認識する。
【０１８６】
ここで、再生モードにおいて、利用可能機器と、その利用可能機器において、現に、再生に利用可能な記録媒体とを、まとめて、再生可能元ともいう。
【０１８７】
利用可能機器判定部５２は、再生可能元の一覧である再生可能元リストを、機器リストとして生成し、決定部５３に供給して、処理は、ステップＳ４２からステップＳ４３に進む。
【０１８８】
ステップＳ４３では、決定部５３は、利用可能機器判定部５２からの再生可能元リストに基づき、再生可能元（利用可能機器）が存在するか否かを判定する。
【０１８９】
ステップＳ４３において、再生可能元が存在しないと判定された場合、すなわち、再生可能元リストに、再生可能元が登録されていない場合、決定部５３は、その判定結果を表す判定情報を、表示制御部５４に供給して、処理は、ステップＳ４４に進む。
【０１９０】
ステップＳ４４では、表示制御部５４は、決定部５３からの、再生可能元が存在しない旨の判定結果を表す判定情報に応じて、再生ボタン５７（のLED）を、例えば、消灯させ、処理は、ステップＳ４１に戻る。
【０１９１】
以上のように、再生可能元（利用可能機器）が存在しない場合、すなわち、ネットワーク１上のレコーダ１２及び１３のいずれも使用中で、コンテンツの再生（HD４６等からのコンテンツの読み出し）を行うことができない場合には、再生ボタン５７が消灯し、再生可能元が存在しないことが表示される。したがって、再生ボタン５７の表示状態により、ユーザは、受信機１１が設置してある部屋から、レコーダ１２や１３が設置されている部屋に行かなくても、現在、再生を行うことができないことを、容易に認識することができる。
【０１９２】
一方、ステップＳ４３において、再生可能元が存在すると判定された場合、すなわち、再生可能元リストに、１つ以上の再生可能元が登録されている場合、決定部５３は、その判定結果を表す判定情報を、表示制御部５４に供給して、処理は、ステップＳ４５に進む。
【０１９３】
ステップＳ４５では、表示制御部５４は、決定部５３からの、再生可能元が存在する旨の判定結果を表す判定情報に応じて、再生ボタン５７（のLED）を、例えば、薄い緑色（低い輝度の緑色）で点灯させ、処理は、ステップＳ４６に進む。
【０１９４】
以上のように、再生可能元（利用可能機器）が存在する場合、すなわち、ネットワーク１上のレコーダ１２及び１３のうちのいずれかにおいて、コンテンツの再生を行うことができる場合には、再生ボタン５７が、薄い緑色で点灯し、再生可能元が存在することが表示される。したがって、再生ボタン５７の表示状態により、ユーザは、受信機１１が設置してある部屋から、レコーダ１２や１３が設置されている部屋に行かなくても、ネットワーク１上のレコーダ１２及び１３のうちのいずれかによって、現在、再生を行うことができることを、容易に認識することができる。
【０１９５】
ステップＳ４６では、決定部５３は、デフォルトで、利用可能機器判定部５２からの再生可能元リストの、例えば、最初に登録されている再生可能元を、再生に利用する再生元（利用機器及び利用媒体）に決定する。
【０１９６】
さらに、ステップＳ４６では、決定部５３は、再生元の情報を、表示制御部５４、及び再生制御部６０に供給し、表示制御部５４は、決定部５３からの再生元の情報に従い、再生元を、表示パネル５５と、TV２１に表示させる。
【０１９７】
すなわち、表示制御部５４は、決定部５３は、再生元の情報が供給されると、その情報に従い、表示パネル５５に、再生元を表示させる。さらに、表示制御部５４は、デコーダ３４を介して、TV２１を制御することにより、TV２１に、再生元を表示させる。
【０１９８】
ステップＳ４６の後は、処理は、ステップＳ４７に進み、決定部５３は、再生ボタン５７が押圧操作されたか否かを判定する。
【０１９９】
ステップＳ４７において、再生ボタン５７が押圧操作されていないと判定された場合、処理は、ステップＳ４１に戻る。
【０２００】
また、ステップＳ４７において、再生ボタン５７が押圧操作されたと判定された場合、すなわち、再生可能元が存在することを表す表示として、再生ボタン５７が薄い緑色で点灯している状態で、再生ボタン５７が押圧操作された場合、決定部５３は、ユーザから、再生の指示があったと認識し、再生の指示を、表示制御部５４、及び再生制御部６０に供給する。さらに、ステップＳ４７では、決定部５３は、再生元の情報を、再生制御部６０に供給して、処理は、ステップＳ４８に進む。
【０２０１】
ステップＳ４８以降では、再生制御部６０が、決定部５３からの再生の指示に従い、コンテンツを再生（記録）する再生制御を行う。
【０２０２】
すなわち、ステップＳ４８では、再生制御部６０は、決定部５３からの最新の再生元の情報に基づき、その再生元に対し、ネットワークI/F３６、及びネットワーク１を介して、コンテンツの再生を依頼する再生依頼を送信する。
【０２０３】
そして、処理は、ステップＳ４８からステップＳ４９に進み、表示制御部５４が、決定部５３からの再生の指示に応じて、再生ボタン５７を、濃い緑色（高い輝度の緑色）で点灯させ、処理は、ステップＳ５０に進む。
【０２０４】
以上のように、再生（再生依頼の送信を含む）が開始されると、再生ボタン５７が、濃い緑色で点灯する。したがって、再生ボタン５７の表示状態により、ユーザは、受信機１１が設置してある部屋から、レコーダ１２や１３が設置されている部屋に行かなくても、ネットワーク１上のレコーダ１２及び１３のうちのいずれかによって、再生が行われていることを、容易に認識することができる。
【０２０５】
ステップＳ５０では、ネットワークI/F３６が、再生依頼を受けた再生元から、ネットワーク１を介して、コンテンツが送信されてくるのを待って、そのコンテンツを受信するコンテンツ転送を開始し、処理は、ステップＳ５１に進む。
【０２０６】
ここで、ネットワークI/F３６は、再生元から、ネットワーク１を介して送信されてくるコンテンツを受信し、デコーダ３４に供給する。デコーダ３４では、ネットワークI/F３６からのコンテンツがデコード（再生）され、TV２１に供給される。TV２１では、デコーダ３４からのコンテンツの画像の表示等がされる。
【０２０７】
ステップＳ５１では、決定部５３は、再生ボタン５７が押圧操作されたかどうかを判定する。
【０２０８】
ステップＳ５１において、再生ボタン５７が押圧操作されたと判定された場合、すなわち、再生が行われていることを表す表示として、再生ボタン５７が濃い緑色で点灯している状態で、再生ボタン５７が押圧操作された場合、決定部５３は、ユーザから、再生元の変更の指示があったと認識し、処理は、ステップＳ５２に進む。
【０２０９】
ステップＳ５２では、決定部５３は、再生元の変更の指示に応じて、利用可能機器判定部５２からの再生可能元リストに登録された再生可能元の中から、新たな再生元を決定し直す（再生元を変更する）。
【０２１０】
すなわち、決定部５３は、例えば、再生可能元リストにおいて、現在、再生元となっている再生可能元の次に登録されている再生可能元を、新たな再生元に決定する。
【０２１１】
なお、現在、再生元となっている再生可能元が、再生可能元リストの最後に登録されている場合には、例えば、再生可能元リストの最初に登録されている再生可能元が、新たな再生元に決定される。
【０２１２】
したがって、ユーザは、再生ボタン５７の押圧操作を行うだけで、再生元を、再生可能元リストにおける再生可能元の登録順に変更することができる。
【０２１３】
決定部５３は、新たな再生元を決定し直すと、その新たな再生元の情報を、表示制御部５４、及び再生制御部６０に供給する。表示制御部５４は、ステップＳ４６の場合と同様に、決定部５３からの再生元の情報に従い、再生元を、表示パネル５５と、TV２１に表示させて、処理は、ステップＳ５２からステップＳ４８に戻る。
【０２１４】
そして、ステップＳ４８では、再生制御部６０が、決定部５３からの最新の再生元の情報に基づき、その再生元に対し、ネットワークI/F３６、及びネットワーク１を介して、コンテンツの再生を依頼する再生依頼を送信し、以下、同様の処理が行われる。
【０２１５】
なお、再生制御部６０は、最新の再生元に対し、再生依頼を送信する前に、直前の再生元に対して、コンテンツの再生の停止を依頼する停止依頼を送信する。
【０２１６】
また、ここでは、再生ボタン５７の押圧操作に応じて、再生元を、再生可能元リストにおける再生可能元の登録順に変更することとしたが、再生元に、複数のコンテンツが記録されている場合には、再生ボタン５７の押圧操作に応じて、再生元で再生するコンテンツを変更することができる。
【０２１７】
すなわち、再生元では、デフォルトで、最初に記録されたコンテンツを再生の対象とし、その後、再生ボタン５７が押圧操作されるごとに、再生の対象とするコンテンツを、再生元に記録されているコンテンツの記録順に変更することができる。
【０２１８】
そして、再生元の最後に記録されたコンテンツが再生の対象とされている場合に、再生ボタン５７が押圧操作されたときには、再生元を、上述したように変更することができる。
【０２１９】
一方、ステップＳ５１において、再生ボタン５７が押圧操作されていないと判定された場合、処理は、ステップＳ５３に進み、再生制御部６０が、コンテンツの再生を終了するかどうかを判定する。
【０２２０】
ステップＳ５３において、コンテンツの再生を終了しないと判定された場合、処理は、ステップＳ５４に進み、表示制御部５４は、再生元からのネットワーク１を介してのコンテンツの送信に、エラーが生じているか否かを判定する。
【０２２１】
ステップＳ５４において、コンテンツの送信に、エラーが生じていると判定された場合、処理は、ステップＳ５５に進み、表示制御部５４は、再生ボタン５７を点滅させ、処理は、ステップＳ５１に戻る。
【０２２２】
また、ステップＳ５４において、コンテンツの送信に、エラーが生じていないと判定された場合、処理は、ステップＳ５６に進み、表示制御部５４は、再生ボタン５７を濃い緑色で点灯させ、処理は、ステップＳ５１に戻る。
【０２２３】
以上のように、再生元からのコンテンツ転送の開始後、ネットワーク１上でのエラーが生じていない場合には、再生ボタン５７が点灯し、エラーが生じている場合には、再生ボタン５７が点滅する。したがって、再生ボタン５７の表示状態により、ユーザは、コンテンツの再生が正常に行われていることや、ネットワーク１上でのエラーにより、コンテンツの再生（の一部又は全部）が正常に行われなかったことを、容易に認識することができる。
【０２２４】
一方、ステップＳ５３において、コンテンツの再生を終了すると判定された場合、すなわち、例えば、再生元から送信されてくるコンテンツすべての受信が完了した場合や、ユーザが、受信機１１（の入出力部３５（図２））を、再生を終了するように操作した場合、処理は、ステップＳ５７に進み、表示制御部５４は、再生ボタン５７を消灯させ、再生モードの処理は終了する。
【０２２５】
［再生モード時の再生ボタン５７の表示例］
【０２２６】
図７は、再生モード時の再生ボタン５７の表示例を示している。
【０２２７】
再生ボタン５７には、一般的な再生ボタンで採用されている三角形印のマークが付されており、そのマークの部分が、LEDによって点灯等するようになっている。
【０２２８】
上述したように、再生可能元が存在しない場合、図７において、白抜きの三角形印で示すように、再生ボタン５７（のマーク）は消灯する。
【０２２９】
また、再生可能元が存在する場合、図７において、斜線を付した三角形印で示すように、再生ボタン５７は、薄い緑色で点灯する。
【０２３０】
さらに、再生中である場合、図７において、黒塗りの三角形印で示すように、再生ボタン５７は、濃い緑色で点灯する。
【０２３１】
そして、再生中において、再生元へのネットワーク１を介してのコンテンツの送信に、エラーが生じていない場合には、再生ボタン５７は、濃い緑色で点灯したままとなる。
【０２３２】
一方、再生中において、再生元へのネットワーク１を介してのコンテンツの送信に、エラーが生じている場合には、そのエラーが生じている間だけ、再生ボタン５７は、点滅する。
【０２３３】
ここで、図７においては、TV２１と、表示パネル５５のそれぞれに、メッセージ「[REC1/HDD]に再生します。」が表示されている。このメッセージ「[REC1/HDD]に再生します。」のうちの、[REC1/HDD]は、再生元を表している。すなわち、[REC1/HDD]のうちの、"REC1"は、ネットワーク１上の、利用機器となった記録再生装置（例えば、レコーダ１２及び１３のうちの、レコーダ１２等）を表しており、"HDD"は、その利用機器が駆動する、利用媒体となった記録媒体としてのHD（ドライブ）を表している。
【０２３４】
以上のように、複数の記録再生装置であるレコーダ１２及び１３とネットワーク１を介して接続される受信機１１は、そのレコーダ１２及び１３のすべてに、ネットワーク１を介して、状態を問い合わせて、その状態を表す状態情報を収集する。さらに、受信機１１は、状態情報に基づいて、ネットワーク１を介して接続されている複数の記録再生装置であるレコーダ１２及び１３の中から、再生に利用可能な記録再生装置である再生可能元（利用可能機器）を判定する。そして、受信機１１は、再生可能元が存在するか否かを表示する表示制御を行う。
【０２３５】
すなわち、受信機１１は、再生可能元が存在しない場合には、再生ボタン５７を消灯し、再生可能元が存在する場合には、再生ボタン５７を薄い緑色で点灯する。
【０２３６】
したがって、ユーザは、ネットワーク１に接続されたレコーダ１２及び１３が、受信機１１とは別の場所に設置されている場合でも、そのレコーダ１２及び１３のいずれかにおいて、再生を行うことができるかどうかを、容易に認識することができる。
【０２３７】
さらに、再生ボタン５７が薄い緑色で点灯している場合には、再生ボタン５７を押圧操作することで、再生が行われることを、ユーザに、容易に認識させることができる。
【０２３８】
また、再生ボタン５７が薄い緑色で点灯している場合に、再生ボタン５７が押圧操作された場合には、再生ボタン５７が、濃い緑色で点灯するので、ユーザは、再生が開始されたことを、容易に認識することができる。
【０２３９】
さらに、受信機１１では、再生可能元の中から決定された再生元が、表示パネル５５と、TV２１に表示されるので、ユーザは、再生元を、容易に認識することができる。
【０２４０】
また、再生元となる再生可能元（や、再生の対象となるコンテンツ）が、再生ボタン５７の押圧操作が行われるごとに、再生可能元リストにおける再生可能元の登録順に変更されるので、ユーザは、再生元（や、再生の対象となるコンテンツ）を、容易に選択することができる。
【０２４１】
さらに、受信機１１では、コンテンツの再生も、再生可能元の中からの再生元の選択も、１つの再生ボタン５７の押圧操作によって行われる。したがって、ユーザは、再生ボタン５７の押圧操作という、単純なユーザインタフェースによって、コンテンツの再生と、再生元の変更（選択）との両方を行うことができる。
【０２４２】
また、受信機１１では、ネットワーク１を監視し、ネットワーク１を介してのコンテンツの送信に、エラーが生じている場合には、再生ボタン５７を点滅させる。したがって、ユーザは、コンテンツの再生が正常に行われているかどうかを、容易に認識することができる。
【０２４３】
すなわち、ネットワーク１の品質や混み具合によっては、再生元から受信機１１に送信すべきコンテンツの一部が欠落することがあり、そのような欠落に起因して、コンテンツの再生が正常に行われなかったことを、ユーザは、容易に認識することができる。
【０２４４】
［レコーダ１２の機能的構成例］
【０２４５】
図８は、図２のレコーダ１２の機能的構成例を示すブロック図である。
【０２４６】
なお、図中、図２の場合と対応する部分については、同一の符号を付してあり、以下では、その説明は、適宜省略する。
【０２４７】
レコーダ１２は、CPU４２（図２）がプログラムを実行することにより、図８の構成の装置として機能する。
【０２４８】
状態検出部７１は、受信機１１から、状態の問い合わせがあった場合に、レコーダ１２の状態を検出し、その状態を表す状態情報を、受信機１１に送信する。
【０２４９】
すなわち、ネットワークI/F４１は、受信機１１から、ネットワーク１を介して、状態の問い合わせがあると、その問い合わせを受信し、状態検出部７１に供給する。状態検出部７１は、ネットワークI/F４１から、状態の問い合わせが供給されると、レコーダ１２の状態を検出し、その状態を表す状態情報を、ネットワークI/F４１、及びネットワーク１を介して、受信機１１に送信する。
【０２５０】
記録再生制御部７２は、記録媒体７７に対するコンテンツの録画（記録）と再生（読み出し）を制御する記録再生制御を行う。
【０２５１】
すなわち、記録再生制御部７２には、受信機１１からネットワーク１を介して送信され、ネットワークI/F４１で受信されたコンテンツが、ネットワークI/F４１から供給される。記録再生制御部７２は、ネットワークI/F４１からのコンテンツを、記録媒体７７に供給して録画する。
【０２５２】
また、記録再生制御部７２は、記録媒体７７から、コンテンツを再生し（読み出し）、ネットワークI/F４１、及びネットワーク１を介して、受信機１１に送信する。あるいは、記録再生制御部７２は、記録媒体７７から再生したコンテンツを、デコーダ４４に供給する。
【０２５３】
なお、記録再生制御部７２では、ネットワークI/F４１から供給されるコンテンツの、記録媒体７７への録画は、受信機１１から、ネットワーク１、及びネットワークI/F４１を介して送信されてくる録画依頼や、録画ボタン７５の操作に従って行われる。
【０２５４】
さらに、記録再生制御部７２において、記録媒体７７からのコンテンツの再生は、受信機１１から、ネットワーク１、及びネットワークI/F４１を介して送信されてくる再生依頼や、再生ボタン７６の操作に従って行われる。
【０２５５】
ここで、記録再生制御部７２は、受信機１１からの再生依頼に従って、記録媒体７７からコンテンツを再生した場合には、そのコンテンツを、ネットワークI/F４１、及びネットワーク１を介して、受信機１１に送信する。
【０２５６】
また、記録再生制御部７２は、再生ボタン７６の操作に従って、記録媒体７７からコンテンツを再生した場合には、コンテンツを、デコーダ４４に供給する。この場合、デコーダ４４は、記録再生部７２からのコンテンツをデコードし、TV２２に供給して、表示等させる。
【０２５７】
その他、記録再生制御部７２は、受信機１１からの録画依頼や再生依頼、録画ボタン７５の操作、再生ボタン７６の操作に応じて、表示制御部７３を制御する。
【０２５８】
表示制御部７３は、記録再生制御部７２の制御に従い、録画ボタン７５や再生ボタン７６が内蔵する発光手段としてのLEDを、点灯又は消灯等する表示制御を行う。
【０２５９】
また、表示制御部７３は、記録媒体７７から再生されたコンテンツ等の、ネットワーク１を介しての送信に、エラーが生じているか否かを表示する表示制御も行う。
【０２６０】
すなわち、表示制御部７３は、ネットワークI/F４１を介して、ネットワーク１を監視しており、ネットワーク１を介してのコンテンツの送信に、エラーが生じている場合には、録画ボタン７５や再生ボタン７６が内蔵する発光手段としてのLEDを、点滅等させる。
【０２６１】
録画ボタン７５は、レコーダ１２の筐体に設けられており、コンテンツを記録媒体７７に録画するときに操作される。
【０２６２】
また、録画ボタン７５は、発光手段として、LEDを内蔵しており、表示制御部７３の表示制御に応じて、消灯、点滅、又は点灯する。
【０２６３】
ここで、録画ボタン７５が操作されると、その操作に応じた操作信号が、記録再生制御部７２に供給され、記録再生制御部７２は、その操作信号に従い、記録媒体７７へのコンテンツの録画を行う（開始する）。
【０２６４】
再生ボタン７６は、レコーダ１２の筐体に設けられており、記録媒体７６からのコンテンツの再生を行うときに操作される。
【０２６５】
また、再生ボタン７６は、発光手段として、LEDを内蔵しており、表示制御部７３の表示制御に応じて、消灯、点滅、又は点灯する。
【０２６６】
ここで、再生ボタン７６が操作されると、その操作に応じた操作信号が、記録再生制御部７２に供給される。記録再生制御部７２は、再生ボタン７６からの操作信号に従い、記録媒体７７からコンテンツを再生する。
【０２６７】
なお、録画ボタン７５、及び再生ボタン７６は、レコーダ１２の筐体に設けるとともに、又は、筐体に設ける代わりに、レコーダ１２を遠隔操作する、図示せぬリモートコマンダに設けることができる。
【０２６８】
記録媒体７７は、記録再生制御部７２の制御に従い、コンテンツを記録する。
【０２６９】
なお、図８において、状態検出部７１、記録再生制御部７２、及び、表示制御部７３３は、図２のCPU４２に相当する。また、録画ボタン７５、及び、再生ボタン７６は、図２の入出力部４５に相当し、記録媒体７７は、図２のHD４６、及びリムーバブルメディア４７に相当する。
【０２７０】
［レコーダ１２の処理］
【０２７１】
図９を参照して、図８のレコーダ１２が行う処理を説明する。
【０２７２】
ステップＳ７１において、状態検出部７１は、受信機１１から、状態の問い合わせがあったかどうかを判定する。
【０２７３】
ステップＳ７１において、状態の問い合わせがあったと判定された場合、すなわち、受信機１１から、ネットワーク１を介して、状態問い合わせが送信され、その状態問い合わせが、ネットワークI/F４１で受信され、状態検出部７１に供給された場合、処理は、ステップＳ７２に進み、状態検出部７１は、レコーダ１２の状態を検出する。
【０２７４】
さらに、ステップＳ７２では、状態検出部７１は、レコーダ１２の状態を表す状態情報を、ネットワークI/F４１、及びネットワーク１を介して、受信機１１に送信し、処理は、ステップＳ７１に戻る。
【０２７５】
また、ステップＳ７１において、状態の問い合わせがなかったと判定された場合、処理は、ステップＳ７３に進み、記録再生制御部７２は、受信機１１から、録画依頼があったかどうかを判定する。
【０２７６】
ステップＳ７３において、録画依頼があったと判定された場合、記録再生制御部７２は、受信機１１からの録画依頼を、表示制御部７３に供給して、処理は、ステップＳ７４に進む。
【０２７７】
ここで、ステップＳ７３において、録画依頼があったと判定されるのは、受信機１１において、レコーダ１２が録画先に決定され、ネットワーク１を介して、録画依頼が送信された場合である。この場合、録画依頼は、ネットワークI/F４１で受信され、記録再生制御部７２に供給される。
【０２７８】
ステップＳ７４では、表示制御部７３が、記録再生制御部７２からの録画依頼に応じて、録画ボタン７５を、受信機１１の録画ボタン５６と同様に、濃い赤色で点灯させ、処理は、ステップＳ７５に進む。
【０２７９】
ステップＳ７５では、記録再生制御部７２が、受信機１１から、録画依頼の後に送信されるコンテンツが送信されてくるのを待って、そのコンテンツの、記録媒体７７への録画を開始する。
【０２８０】
すなわち、受信機１１から、ネットワーク１を介して、コンテンツが送信されてくると、そのコンテンツは、ネットワークI/F４１で受信され、記録再生制御部７２に供給される。記録再生制御部７２は、ネットワークI/F４１から供給されるコンテンツを、記録媒体７７に記録する。
【０２８１】
コンテンツの、記録媒体７７への録画の開始後、処理は、ステップＳ７５からステップＳ７６に進み、記録再生制御部７２は、コンテンツの録画を終了するかどうかを判定する。
【０２８２】
ステップＳ７６において、録画を終了しないと判定された場合、処理は、ステップＳ７７に進み、表示制御部７３は、受信機１１からのネットワーク１を介してのコンテンツの送信に、エラーが生じているか否かを判定する。
【０２８３】
ステップＳ７７において、コンテンツの送信に、エラーが生じていると判定された場合、処理は、ステップＳ７８に進み、表示制御部７３は、録画ボタン７５を点滅させ、処理は、ステップＳ７６に戻る。
【０２８４】
また、ステップＳ７７において、コンテンツの送信に、エラーが生じていないと判定された場合、処理は、ステップＳ７９に進み、表示制御部７３は、録画ボタン７５を濃い赤色で点灯させ、処理は、ステップＳ７６に戻る。
【０２８５】
そして、ステップＳ７６において、録画を終了すると判定された場合、すなわち、例えば、受信機１１からのコンテンツの送信が完了した場合や、ユーザが、受信機１１（の入出力部３５（図２））を、録画を終了するように操作した場合、処理は、ステップＳ８０に進み、表示制御部７３は、録画ボタン７５を消灯させ、処理は、ステップＳ７１に戻る。
【０２８６】
一方、ステップＳ７３において、録画依頼がなかったと判定された場合、処理は、ステップＳ８１に進み、記録再生制御部７２は、受信機１１から、再生依頼があったかどうかを判定する。
【０２８７】
ステップＳ８１において、再生依頼がなかったと判定された場合、処理は、ステップＳ７１に戻る。
【０２８８】
また、ステップＳ８１において、再生依頼があったと判定された場合、記録再生制御部７２は、受信機１１からの再生依頼を、表示制御部７３に供給して、処理は、ステップＳ８２に進む。
【０２８９】
ここで、ステップＳ８１において、再生依頼があったと判定されるのは、受信機１１において、レコーダ１２が再生元に決定され、ネットワーク１を介して、再生依頼が送信された場合である。この場合、再生依頼は、ネットワークI/F４１で受信され、記録再生制御部７２に供給される。
【０２９０】
ステップＳ８２では、表示制御部７３が、記録再生制御部７２からの再生依頼に応じて、再生ボタン７６を、受信機１１の再生ボタン５７と同様に、濃い緑色で点灯させ、処理は、ステップＳ８３に進む。
【０２９１】
ステップＳ８３では、記録再生制御部７２が、記録媒体７７からのコンテンツの再生と、そのコンテンツの、受信機１１への送信を開始する。
【０２９２】
すなわち、記録再生制御部７２は、記録媒体７７からコンテンツを再生し、ネットワークI/F４１に供給する。ネットワークI/F４１は、記録再生制御部７２からのコンテンツを、ネットワーク１を介して、受信機１１に送信する。
【０２９３】
記録媒体７７からのコンテンツの再生の開始後、処理は、ステップＳ８３からステップＳ８４に進み、記録再生制御部７２は、コンテンツの再生を終了するかどうかを判定する。
【０２９４】
ステップＳ８４において、再生を終了しないと判定された場合、処理は、ステップＳ８５に進み、表示制御部７３は、受信機１１からのネットワーク１を介してのコンテンツの送信に、エラーが生じているか否かを判定する。
【０２９５】
ステップＳ８５において、コンテンツの送信に、エラーが生じていると判定された場合、処理は、ステップＳ８６に進み、表示制御部７３は、再生ボタン７６を点滅させ、処理は、ステップＳ８４に戻る。
【０２９６】
また、ステップＳ８５において、コンテンツの送信に、エラーが生じていないと判定された場合、処理は、ステップＳ８７に進み、表示制御部７３は、再生ボタン７６を濃い緑色で点灯させ、処理は、ステップＳ８４に戻る。
【０２９７】
そして、ステップＳ８４において、再生を終了すると判定された場合、すなわち、例えば、ステップＳ８３で再生を開始したコンテンツすべての、記録媒体７７からの読み出しが完了した場合や、ユーザが、受信機１１（の入出力部３５（図２））を、再生を終了するように操作した場合、受信機１１から停止依頼が送信されてきた場合、処理は、ステップＳ８８に進み、表示制御部７３は、再生ボタン７６を消灯させ、処理は、ステップＳ７１に戻る。
【０２９８】
以上のように、レコーダ１２（及び１３）においても、受信機１１の場合と同様に、図５や図７に示した表示を行わせることができる。
【０２９９】
［受信機１１と、レコーダ１２及び１３それぞれとのやりとりの例］
【０３００】
図１０を参照して、図１の受信機１１と、レコーダ１２及び１３それぞれとのやりとりを説明する。
【０３０１】
例えば、いま、受信機１１が記録モードになっている場合、受信機１１は、ステップＳ９１において、ネットワーク１を介して、レコーダ１２に、状態の問い合わせを行う。
【０３０２】
レコーダ１２は、状態の問い合わせに対し、応答としての状態情報を、ネットワーク１を介して、受信機１１に送信する。
【０３０３】
さらに、受信機１１は、ステップＳ９２において、ネットワーク１を介して、レコーダ１３に、状態の問い合わせを行う。
【０３０４】
レコーダ１３は、状態の問い合わせに対し、応答としての状態情報を、ネットワーク１を介して、受信機１１に送信する。
【０３０５】
その後、受信機１１では、図４で説明したように、録画先が決定される。
【０３０６】
いま、録画先が、レコーダ１２及び１３のうちの、例えば、レコーダ１２に決定されたこととすると、受信機１１は、ステップＳ９３において、コンテンツを、ネットワーク１を介して、録画先であるレコーダ１２に送信し、録画させる。
【０３０７】
一方、いま、受信機１１が再生モードになっている場合、受信機１１は、ステップＳ９４において、ネットワーク１を介して、レコーダ１２に、状態の問い合わせを行う。
【０３０８】
レコーダ１２は、状態の問い合わせに対し、応答としての状態情報を、ネットワーク１を介して、受信機１１に送信する。
【０３０９】
さらに、受信機１１は、ステップＳ９５において、ネットワーク１を介して、レコーダ１３に、状態の問い合わせを行う。
【０３１０】
レコーダ１３は、状態の問い合わせに対し、応答としての状態情報を、ネットワーク１を介して、受信機１１に送信する。
【０３１１】
その後、受信機１１では、図６で説明したように、再生元が決定される。
【０３１２】
いま、再生元が、レコーダ１２及び１３のうちの、例えば、レコーダ１３に決定されたこととすると、受信機１１は、ステップＳ９６において、再生元であるレコーダ１３から送信されてくるコンテンツを、ネットワーク１を介して受信する。
【０３１３】
なお、図２では、コンテンツの再生（コンテンツの画像の表示等）を、受信機１１側と、レコーダ１２（及び１３）側とのいずれでも行うことができるようにしたが、コンテンツの再生は、例えば、レコーダ１２側のみで行うことができるようにすることが可能である。
【０３１４】
また、受信機１１でユーザが行うことができる操作や、受信機１１で行われる表示は、レコーダ１２（及び１３）でも行うようにすることが可能である。
【０３１５】
さらに、レコーダ１２（及び１３）において記録媒体７７（図８）から読み出されるコンテンツの再生（画像の表示等）は、ネットワーク１に再生専用の装置を接続し、その装置で、再生モードの処理を行うことにより行うことができる。
【０３１６】
また、コンテンツの録画については、受信機１１に、十分な容量のバッファ５８（図３）として機能する大容量のHD等を設け、そのバッファ５８に、コンテンツ全体を記録した後に、受信機１１から録画先に送信して録画することができる。
【０３１７】
この場合、バッファ５８に、コンテンツ全体が記録されているので、受信機１１（のバッファ５８）から録画先へのコンテンツの送信に、エラーが生じても、再送を行うことで、録画先では、コンテンツ全体を、確実に録画することができる。
【０３１８】
また、本実施の形態では、受信機１１において、レコーダ１２及び１３の状態情報だけから、レコーダ１２及び１３のそれぞれが、利用可能機器であるかどうかを判定することとしたが、利用可能機器であるかどうかの判定は、その他、例えば、ネットワーク１上のトラフィック量をも考慮して行うことができる。
【０３１９】
すなわち、ネットワーク１を介してのコンテンツの送信が、ネットワーク１上のトラフィック量が多いために困難な場合がある。この場合、レコーダ１２や１３が、録画や再生が可能な状態であっても、結果としては、コンテンツの録画や再生を正常に行うことが困難である。そこで、ネットワーク１上のトラフィック量が、ネットワーク１を介してのコンテンツの送信が困難な程度である場合には、受信機１１では、状態情報にかかわらず、レコーダ１２及び１３のいずれも、利用可能機器でないと判定することができる。
【０３２０】
なお、ネットワーク１上のトラフィック量は、受信機１１自身が監視してもよいし、レコーダ１２又は１３が監視して、受信機１１に送信するようにしてもよい。また、ネットワーク１上のトラフィック量は、ネットワーク１上のすべてのレコーダ１２及び１３のそれぞれがやりとりしているストリームの数から、簡易的に求めることができる。
【０３２１】
また、受信機１１と、レコーダ１２（及び１３）との間のデータのやりとりの方法は、特に限定されるものではない。例えば、状態の問い合わせには、XML(Extensible Markup Language)形式等のデータを採用することができる。さらに、コンテンツのやりとりには、例えば、HTTP-POST/HTTP-GET等のプロトコルを採用することができる。
【０３２２】
また、ネットワーク１を介してのコンテンツの送信に、エラーが生じているかどうかの判定の方法は、特に限定されるものではない。例えば、コンテンツの送信に、エラーが生じているかどうかの判定は、ネットワーク１のトラフィック量や、ネットワーク１が無線のネットワークを含む場合の電波環境、応答パケットの有無、コンテンツの送信側において、コンテンツを一時記憶しておくための送信バッファのアンダーラン/オーバーランの有無、コンテンツの受信側において、コンテンツを一時記憶しておくための受信バッファのアンダーラン/オーバーランの有無等を考慮して行うことが可能である。
【０３２３】
ここで、本明細書において、コンピュータ(CPU)がプログラムに従って行う処理は、必ずしもフローチャートとして記載された順序に沿って時系列に行われる必要はない。すなわち、コンピュータがプログラムに従って行う処理は、並列的あるいは個別に実行される処理（例えば、並列処理あるいはオブジェクトによる処理）も含む。
【０３２４】
また、プログラムは、１のコンピュータにより処理されるものであっても良いし、複数のコンピュータによって分散処理されるものであっても良い。
【０３２５】
なお、本発明の実施の形態は、上述した実施の形態に限定されるものではなく、本発明の要旨を逸脱しない範囲において種々の変更が可能である。
【符号の説明】
【０３２６】
１  ネットワーク，  １１  受信機，  １２，１３  レコーダ，  ２１ないし２３  TV，  ３１  取得部，  ３２  CPU，  ３３  記憶部，  ３４  デコーダ，  ３５  入出力部，  ３６，４１  ネットワークI/F，  ４２  CPU，  ４３  記憶部，  ４４  デコーダ，  ４５  入出力部，  ４６  HD，  ４７  リムーバブルメディア，  ５１  情報収集部，  ５２  利用可能機器判定部，  ５３  決定部，  ５４  表示制御部，  ５５  表示パネル，  ５６  録画ボタン，  ５７  再生ボタン，  ５８  バッファ，  ５９  記録制御部，  ６０  再生制御部，  ７１  状態検出部，  ７２  記録再生制御部，  ７３  表示制御部，  ７５  録画ボタン，  ７６  再生ボタン
【図１】
2010177728.tif 000003
【図２】
2010177728.tif 000004
【図３】
2010177728.tif 000005
【図４】
2010177728.tif 000006
【図５】
2010177728.tif 000007
【図６】
2010177728.tif 000008
【図７】
2010177728.tif 000009
【図８】
2010177728.tif 000010
【図９】
2010177728.tif 000011
【図１０】
2010177728.tif 000012